(57)【要約】【課題】  作業性がよくて絶縁性能がよい絶縁電線カバー装置を提供すること。【解決手段】  絶縁電線カバー装置１０は、ジャンパ線１の周りに弾力性を有する絶縁シートを周方向３９に重複するようにして絶縁筒状体３０を形成し、重複部分３１に仮留め機能を有するとともに、重複部分３１に絶縁性接着剤を施したものである。さらに、仮留め構造３５は、重複部分３１の外側絶縁シート３３の内面に絶縁筒状体３０の長手方向に延びる凹部２３を形成し、重複部分３１の内側絶縁シート３２の外面に絶縁筒状体３０の長手方向に延びる凸部２４を形成し、凹部２３と凸部２４とで嵌め込み可能なものである。【選択図】        図２
2007014123.tif 000002
【特許請求の範囲】
【請求項１】
ジャンパ線等の送電線の周りに弾力性を有する絶縁シートを周方向に重複するようにして絶縁筒状体を形成し、前記重複部分に仮留め機能を有するとともに、前記重複部分に絶縁性接着剤を施したことを特徴とする絶縁電線カバー装置。
【請求項２】
請求項１に記載した絶縁電線カバー装置であって、
前記仮留め機能が、前記重複部分の外側絶縁シートの内面に前記絶縁筒状体の長手方向に延びる凹部を形成し、前記重複部分の内側絶縁シートの外面に前記絶縁筒状体の長手方向に延びる凸部を形成し、前記凹部と凸部とで嵌め込み可能なものであることを特徴とする絶縁電線カバー装置。
【請求項３】
請求項１または２に記載した絶縁電線カバー装置であって、
前記絶縁筒状体の内周面の下部に前記絶縁筒状体の長手方向に延びる突起を設け、前記送電線と絶縁筒状体との間に排水用の間隙を形成し、前記絶縁筒状体の内周面の下部に孔を設け、この孔に排水用の水抜き管を接続したことを特徴とする絶縁電線カバー装置。
【発明の詳細な説明】
【技術分野】
【０００１】
本発明は、送電線における鳥害による地絡等を防ぐための絶縁電線カバー装置に関し、特に作業性がよくて絶縁性能がよい絶縁電線カバー装置に関するものである。
【背景技術】
【０００２】
架空送電線において、主に鳥獣が原因となって、鉄塔に架設された裸線状態の送電線のジャンパ線と鉄塔部材等との間で地絡故障が発生する場合がある。これを防止する方法にジャンパ線の絶縁化がある。
このジャンパ線の絶縁化のため、第１の例として、図５に示すように、ジャンパ線５１に所要幅の絶縁シート５２を巻き付ける方法がある（例えば、特許文献１参照）なお、５３は絶縁シート５２の巻き終り端である。
また、第２の例として、図６に一部切り欠いて示すように、ジャンパ線７１に自己融着性の絶縁テープ７２を重ね巻きする方法がある（例えば、特許文献２参照）。具体的には、鉄塔のアーム材６１にガイシ６２、６３が吊り下げられ、このガイシ６２、６３の先端間に引留クランプ６４、６５を介してジャンパ線７１が架設されている。そして、ジャンパ線７１の最も低い部分に排水孔７４を有する水抜き栓７３が装着され、ジャンパ線７１のうち、水抜き栓７３が装着されている部分以外の部分に絶縁テープ７２が巻き付けられている。
【特許文献１】実開平５−７４１３１号公報
【特許文献２】特開２００２−３００７０８号公報
【発明の開示】
【発明が解決しようとする課題】
【０００３】
しかし、上述の第１の例では、ジャンパ線５１に巻きつけた絶縁シート５２の周方向の沿面閃絡（フラッシオーバ）距離を確保するために、絶縁シート５２を渦巻き状に重ね巻きする必要があるので、絶縁シート５２の使用量が増加するとともに、絶縁シート５２として高硬度のものを使用する場合には、絶縁シート５２を渦巻き状に加工することが容易ではないという問題があった。
また、上述の第２の例では、絶縁テープ７２の図示しない接着層を覆う剥離紙を剥がしながら前記接着層により絶縁テープ７２をジャンパ線７１に重ね巻きすることが必要なため、鉄塔上においては非常に作業の効率が悪く、また、絶縁テープ７２の重ね合わせが充分でないと絶縁不良が発生するという問題があった。
そこで、本発明が解決しようとする課題は、作業性がよくて絶縁性能がよい絶縁電線カバー装置を提供することである。
【課題を解決するための手段】
【０００４】
上記課題を解決するため、請求項１記載の発明は、ジャンパ線等の送電線の周りに弾力性を有する絶縁シートを周方向に重複するようにして絶縁筒状体を形成し、前記重複部分に仮留め機能を有するとともに、前記重複部分に絶縁性接着剤を施したことを特徴とする絶縁電線カバー装置である。
これにより、絶縁シートの弾力性を利用して、ジャンパ線等の送電線の周りに周方向に重複するように、前記絶縁シートにより絶縁筒状体を形成することができる。そして、前記重複部分に絶縁性接着剤を施して接着することにより、重複部分の周方向の耐電圧性を高め、重複部分の周方向の閃絡を防ぐことができる。さらに、前記重複部分に仮留め機能を有するので、前記重複部分に施された絶縁性接着剤が硬化するまで、前記重複部分を仮留めすることができる。
【０００５】
さらに、請求項２記載の発明は、請求項１に記載した絶縁電線カバー装置であって、前記仮留め機能が、前記重複部分の外側絶縁シートの内面に前記絶縁筒状体の長手方向に延びる凹部を形成し、前記重複部分の内側絶縁シートの外面に前記絶縁筒状体の長手方向に延びる凸部を形成し、前記凹部と凸部とで嵌め込み可能なものであることを特徴とする絶縁電線カバー装置である。
これにより、前記重複部分の外側絶縁シートの内面に前記絶縁筒状体の長手方向に延びるように形成された凹部に、前記重複部分の内側絶縁シートの外面に前記絶縁筒状体の長手方向に延びるように形成された凸部を嵌め込んで前記重複部分を仮留めすることができる。
【０００６】
さらに、請求項３記載の発明は、請求項１または２に記載した絶縁電線カバー装置であって、前記絶縁筒状体の内周面の下部に前記絶縁筒状体の長手方向に延びる突起を設け、前記送電線と絶縁筒状体との間に排水用の間隙を形成し、前記絶縁筒状体の内周面の下部に孔を設け、この孔に排水用の水抜き管を接続したことを特徴とする絶縁電線カバー装置である。
これにより、前記絶縁筒状体内の水が、前記送電線と前記絶縁筒状体の内周面との間に生ずる排水用隙間を経て水抜き管から外に流れ出ることができる。
【発明の効果】
【０００７】
請求項１記載の発明によれば、ジャンパ線等の裸線状態の送電線を筒状の絶縁電線カバー装置で能率よく覆うことができる。このため、鳥の営巣材、へび、樹木等の接触により送電線の地絡事故が発生することを防ぐことができる。
さらに、請求項２記載の発明によれば、請求項１記載の発明の効果とともに、絶縁電線カバー装置の重複部分の仮留め機能を容易に実現することができる。
さらに、請求項３記載の発明によれば、請求項１または２記載の発明の効果とともに、絶縁電線カバー装置内に水が溜まらないようにすることができるので、絶縁電線カバー装置を装着した送電線が水により腐食することを防ぐことができる。
【発明を実施するための最良の形態】
【０００８】
以下、本発明における実施の形態を図面を参照して説明する。図１は本発明の実施の形態の絶縁電線カバー装置に使用する円筒状絶縁体の断面を示し、図２は本発明の実施の形態の絶縁電線カバー装置の断面を示し、図３は図２のＡ−Ａ断面を示し、図４は図３の水抜き管のＢ−Ｂ断面を示す。
【０００９】
図１に示す円筒状絶縁体２０を図２に示す絶縁電線カバー装置１０の材料として用いる。具体的には以下のようになる。
円筒状絶縁体２０は、その材質が弾性および絶縁性のある合成樹脂であり、例えばシリコーンゴムであり、その厚さは例えば５ｍｍである。なお、シリコーンゴムはその比誘電率が約３であり、耐熱性および耐候性に優れている。円筒状絶縁体２０の内面２１には、凹部２３および突起２５が形成されている。一方、円筒状絶縁体２０の外面２２には凸部２４が形成されている。凹部２３、凸部２４および突起２５は円筒状絶縁体２０の長手方向（図１の紙面に垂直な方向）に延びているように形成されている。なお、円筒状絶縁体２０は例えば押し出し成形により形成されるので、このような凹部２３、凸部２４および突起２５を容易に形成することができる。
円筒状絶縁体２０は切断個所２６（図１の紙面に垂直な方向に延びている。）で切断して使用されるものであり、「円筒状絶縁体２０の中心Ｏ」から見て、凹部２３は切断個所２６から反時計方向に角度α回転した位置にあり、凸部２４は切断個所２６から時計方向に角度β回転した位置にある。さらに、凸部２４から時計方向に角度「１８０°−（β＋γ）」回転した位置に突起２５が形成されている。ここで、例えば、αは１５°であり、βは６０°であり、γは２０°である。
【００１０】
図２に示すように、絶縁電線カバー装置１０では、ジャンパ線１（例えば線径約２８．５ｍｍ）の周りに弾力性を有する絶縁シート（図１の円筒状絶縁体２０を切断個所２６で切断したもの）を周方向３９に重複するようにして絶縁筒状体３０を形成し、前記重複部分３１の内側絶縁シート３２と外側絶縁シート３３が重なっている接着個所３４に絶縁性接着剤を施して接着している。なお、重複部分３１は例えば絶縁筒状体３０の周方向３９の全周の１／４を占めている。また、前記絶縁性接着剤は例えば液状シリコーン（ＲＴＶゴム）である。
【００１１】
そして、重複部分３１の外側絶縁シート３３の内面２１（図１参照）の凹部２３がジャンパ線１に平行に配置され、重複部分３１の内側絶縁シート３２の外面２２（図１参照）の凸部２４がジャンパ線１に平行に配置され、凹部２３と凸部２４とが嵌め込み可能な仮留め構造３５を構成する。なお、凹部２３、凸部２４および突起２５は、絶縁筒状体３０の長手方向（図２の紙面に垂直な方向）に延びている。
【００１２】
さらに、絶縁筒状体３０の内周面３６の下部の突起２５（図１参照）がジャンパ線１に平行に配置されるので、送電線１と絶縁筒状体３０との間に排水用の間隙３８が形成される。そして、絶縁筒状体３０の内周面３６の下部に孔３７が設けられ、この孔３７に排水用の水抜き管４０が接続されている。
具体的には、図３および図４に示すように、水抜き管４０の基部４１が水抜き管４０の基部４１以外の部分よりも肉厚に形成され、これにより基部４１の耐電圧性が向上している。さらに、基部４１にフランジ部４２が一体に形成さている。そして、フランジ部４２が絶縁筒状体３０の下部に絶縁性接着剤にて接着されている。なお、この場合の絶縁性接着剤は上記重複部分３１に施すものと同じ接着剤でもよい。
【００１３】
以上の構成の絶縁電線カバー装置１０は、以下の作用効果を奏する。
前記絶縁シートの弾力性を利用して、ジャンパ線１の周りに周方向３９に重複するように、前記絶縁シートにより絶縁筒状体３０を形成することができる。そして、重複部分３１に絶縁性接着剤を施して接着することにより、重複部分３１の周方向３９の耐電圧性を高め、重複部分３１の周方向３９の閃絡を防ぐことができる。
さらに、重複部分３１の外側絶縁シート３３の内面２１に、絶縁筒状体３０の長手方向に延びるように形成された凹部２３と、重複部分３１の内側絶縁シート３２の外面２２に絶縁筒状体３０の長手方向に延びるように形成された凸部２４とが嵌め込み可能な仮留め構造３５を形成するので、重複部分３１に施された絶縁性接着剤が硬化するまで、凸部２４を凹部２３に嵌め込んで仮留めすることができる。
さらに、絶縁筒状体３０内の水が、ジャンパ線１と絶縁筒状体３０の内周面３６との間に生ずる排水用隙間３８を経て水抜き管４０から外に流れ出ることができる。
また、本発明の絶縁電線カバー装置１０は押し出し成形により形成できるため安価に製作することが可能であり、さらにジャンパ線１への装着作業も効率よく行えるため、ジャンパ線の絶縁化費用を低減することができる。
【００１４】
なお、上記実施の形態では、ジャンパ線１に絶縁電線カバー装置１０が装着されているが、これに限定されず、ジャンパ線１以外の送電線に絶縁電線カバー装置１０を装着してもよい。
また、上記実施の形態では、絶縁筒状体３０の長手方向に延びるように形成された凹部２３と凸部２４を嵌め込み可能な構造とすることで、重複部分３１の仮留め機能を構成したが、仮留め機能はこれに限定されず、例えば自己融着テープを用いるなど、重複部分３１に施された絶縁性接着剤が硬化するまで、仮留め可能な構成であればよい。
【図面の簡単な説明】
【００１５】
【図１】本発明の実施の形態の絶縁電線カバー装置に使用する円筒状絶縁体の断面図である。
【図２】本発明の実施の形態の絶縁電線カバー装置の断面図である。
【図３】図３は図２のＡ−Ａ断面を示す断面図である。
【図４】図４は図３の水抜き管のＢ−Ｂ断面を示す断面図である。
【図５】従来の第１の例を示す説明図である。
【図６】従来の第２の例を示す説明図である。
【符号の説明】
【００１６】
１  ジャンパ線
１０  絶縁電線カバー装置
２０  円筒状絶縁体
２１  内面
２２  外面
２３  凹部
２４  凸部
２５  突起
３０  絶縁筒状体
３１  重複部分
３２  内側絶縁シート
３３  外側絶縁シート
３４  接着個所
３５  仮留め構造
３６  内周面
３７  孔
３８  隙間
４０  水抜き管
【図１】
2007014123.tif 000003
【図２】
2007014123.tif 000004
【図３】
2007014123.tif 000005
【図４】
2007014123.tif 000006
【図５】
2007014123.tif 000007
【図６】
2007014123.tif 000008